(57)【要約】【課題】階調不良の検査精度の向上を図る。【解決手段】液晶表示装置Ｄの検査方法は、表示領域毎に階調が徐々に変化する検査用静止画像を表示させる検査信号Ｓ１を出力する検査信号出力手順と、検査信号Ｓ１に基づき液晶表示装置Ｄを作動させる検査画像表示手順と、表示された検査用静止画像に、検査信号に応じた階調変化が正常に現れているか否かを検査する画像検査手順と、を備える。そして、検査画像表示手順では、表示される検査用静止画像のうち最小階調の表示領域を含む所定の低階調領域の部分について、隣り合う表示領域の輝度変化が適合輝度による輝度変化よりも大きくなるように、液晶に電圧を印加する。【選択図】図１
2014194397.tif 000002
【特許請求の範囲】
【請求項１】
画素毎の階調を指令する階調指令値に応じた前記適合輝度となるように、画素毎の液晶に電圧を印加して画像を表示する液晶表示装置（Ｄ）の検査方法であって、
表示領域毎に階調が徐々に変化する検査用静止画像を表示させるよう、前記表示領域毎の前記階調指令値が設定された検査信号（Ｓ１）を、前記液晶表示装置へ出力する検査信号出力手順（Ｔ１）と、
前記検査信号に基づき前記液晶表示装置を作動させる検査画像表示手順（Ｔ２）と、
前記検査画像表示手順により表示された検査用静止画像に、前記検査信号に応じた階調変化が正常に現れているか否かを検査する画像検査手順（Ｔ３）と、
を備え、
前記検査画像表示手順では、
表示される前記検査用静止画像のうち最小階調の表示領域を含む所定の低階調領域（１１Ｌｏ）の部分について、隣り合う表示領域の輝度変化が前記適合輝度による輝度変化よりも大きくなるように液晶に電圧を印加することを特徴とする液晶表示装置の検査方法。
【請求項２】
前記検査画像表示手順では、
前記最小階調の表示領域については、前記適合輝度となるように液晶に電圧を印加し、  前記所定の低階調領域の部分のうち前記最小階調より高い階調の表示領域については、前記適合輝度よりも高輝度となるように液晶に電圧を印加することを特徴とする請求項１に記載の液晶表示装置の検査方法。
【請求項３】
画素毎の階調を指令する階調指令値に応じた前記適合輝度となるように、画素毎の液晶に電圧を印加して画像を表示する液晶表示装置（Ｄ）に適用され、
表示領域毎に階調が徐々に変化する検査用静止画像を表示させるよう、前記表示領域毎の前記階調指令値が設定された検査信号（Ｓ１）を、前記液晶表示装置へ出力する検査信号出力手段（４１）と、
前記検査用静止画像のうち最小階調の表示領域を含む所定の低階調領域（１１Ｌｏ）の部分について、隣り合う表示領域の輝度変化が前記適合輝度による輝度変化よりも大きくなるように液晶に印加する電圧を補正指令する補正信号（Ｓ２）を、前記液晶表示装置へ出力する補正信号出力手段（４２）と、
を備えることを特徴とする液晶表示装置の検査装置。
【請求項４】
前記補正信号出力手段は、
前記最小階調の表示領域については、前記適合輝度となるように液晶に電圧を印加し、
前記所定の低階調領域の部分のうち前記最小階調より高い階調の表示領域については、前記適合輝度よりも高輝度となるように液晶に電圧を印加するように指令することを特徴とする請求項３に記載の液晶表示装置の検査装置。
【発明の詳細な説明】
【技術分野】
【０００１】
本発明は、液晶表示装置が正常に作動しているか否かを検査する、検査方法および検査装置に関する。
【背景技術】
【０００２】
一般的な液晶表示装置は、液晶パネルおよびドライバ回路を有する表示パネルユニットと、回路基板ユニットとを備える。回路基板ユニットは、液晶パネルの画素毎に赤色階調、緑色階調および青色階調の値を指令する階調指令値を、映像データ信号に変換してドライバ回路へ出力する。ここで言う階調とは、輝度を段階的に数値表現したものである。ドライバ回路は、指令された階調値となるように、映像データ信号に基づき画素毎の液晶への印加電圧を制御する。このように液晶へ印加する電圧を制御することにより、画素毎の階調が制御されて所望の画像が表示されることとなる。
【０００３】
ここで、回路基板ユニットから表示パネルユニットへ映像データ信号を送信する通信線に断線等の異常が生じる場合がある。この場合、映像データ信号がドライバへ正常に送信されず、特定の階調について正常に指令できなくなるといった階調不良が生じるおそれがある。
【０００４】
この階調不良を検査する手法として、特許文献１には以下に説明する目視検査が開示されている。すなわち、表示領域毎に階調が徐々に変化する検査用静止画像を表示するように指令する検査信号を、検査装置から液晶表示装置へ送信する。上述した断線等の故障が生じていなければ、液晶パネルには正常なグラデーションの階調変化が現れる筈である。そこで、隣り合う表示領域の階調が同じになっている等、階調変化に異常があるか否かを目視検査することにより、階調不良の有無を検査している。
【先行技術文献】
【特許文献】
【０００５】
【特許文献１】特開２００５−３１５７７６号公報
【発明の概要】
【発明が解決しようとする課題】
【０００６】
さて、ドライバ回路は、画素毎の液晶への印加電圧を、映像データ信号（階調指令値）に基づき制御する。これにより、各々の液晶に対する光の透過率が制御され、ひいては各々の画素の輝度が制御されて、階調指令値に応じた階調が表現されることとなる。
【０００７】
ただし、階調指令値の変化に比例して輝度を変化させても、液晶パネルの画像は人間の知覚に適合した望ましい見栄えにはならない。一般的には、低階調領域（黒に近い領域）では階調指令値の変化に対する輝度変化（印加電圧変化）を小さくすると、望ましい見栄えの画像になる。このように、望ましい見栄えになるように階調指令値に対する適合輝度が予め設定されており、その設定状態で液晶表示装置は市場に出荷される。
【０００８】
しかし、このように適合輝度が設定されていることに起因して、低階調領域での輝度変化が小さいので、特許文献１記載の目視検査を実施するにあたり、低階調領域での検査精度が悪い。すなわち、検査信号により表示された画像の低階調領域においては、隣り合う表示領域の階調が同じになっているのか正常に変化しているのかを目視で判別することが困難である。
【０００９】
なお、目視検査に替えて、検査信号により表示された画像をカメラで撮影して解析する場合であっても、低階調領域での輝度変化が小さいことに起因して、低階調領域における解析精度は悪い。
【００１０】
本発明は、上記問題を鑑みてなされたもので、その目的は、階調不良の検査精度の向上を図った、液晶表示装置の検査方法および検査装置を提供することにある。
【課題を解決するための手段】
【００１１】
上記目的を達成するために開示された発明の一つは「液晶表示装置の検査方法」であり、もう一つは、「液晶表示装置の検査装置」である。なお、特許請求の範囲に記載した括弧内の符号は、ひとつの態様として後述する実施形態に記載の具体的手段との対応関係を示すものであって、開示された発明の技術的範囲を限定するものではない。
【００１２】
「液晶表示装置の検査方法」の発明は、画素毎の階調を指令する階調指令値に応じた適合輝度となるように、画素毎の液晶に電圧を印加して画像を表示する液晶表示装置（Ｄ）に適用されることを前提とする。そして、表示領域毎に階調が徐々に変化する検査用静止画像を表示させるよう、表示領域毎の階調指令値が設定された検査信号（Ｓ１）を、液晶表示装置へ出力する検査信号出力手順（Ｔ１）と、検査信号に基づき液晶表示装置を作動させる検査画像表示手順（Ｔ２）と、検査画像表示手順により表示された検査用静止画像に、検査信号に応じた階調変化が正常に現れているか否かを検査する画像検査手順（Ｔ３）と、を備え、検査画像表示手順では、表示される検査用静止画像のうち最小階調の表示領域を含む所定の低階調領域（１１Ｌｏ）の部分について、隣り合う表示領域の輝度変化が適合輝度による輝度変化よりも大きくなるように液晶に電圧を印加することを特徴とする。
【００１３】
これによれば、階調不良を検査するにあたり、検査用静止画像のうち低階調領域の部分について、隣り合う表示領域の輝度変化が適合輝度による輝度変化よりも大きくなる。よって、隣り合う表示領域の階調が同じになっているのか正常に変化しているのかの判別精度を向上でき、ひいては階調不良の検査精度を向上できる。
【００１４】
「液晶表示装置の検査装置」の発明は、画素毎の階調を指令する階調指令値に応じた適合輝度となるように、画素毎の液晶に電圧を印加して画像を表示する液晶表示装置（Ｄ）に適用されることを前提とし、表示領域毎に階調が徐々に変化する検査用静止画像を表示させるよう、表示領域毎の階調指令値が設定された検査信号（Ｓ１）を、液晶表示装置へ出力する検査信号出力手段（４１）と、検査用静止画像のうち最小階調の表示領域を含む所定の低階調領域（１１Ｌｏ）の部分について、隣り合う表示領域の輝度変化が適合輝度による輝度変化よりも大きくなるように液晶に印加する電圧を補正指令する補正信号（Ｓ２）を、液晶表示装置へ出力する補正信号出力手段（４２）と、を備えることを特徴とする。
【００１５】
これによれば、階調不良を検査するにあたり、検査用静止画像のうち低階調領域の部分について、隣り合う表示領域の輝度変化が適合輝度による輝度変化よりも大きくなる。よって、隣り合う表示領域の階調が同じになっているのか正常に変化しているのかの判別精度を向上でき、ひいては階調不良の検査精度を向上できる。
【図面の簡単な説明】
【００１６】
【図１】本発明の一実施形態において、液晶表示装置および検査装置を示すブロック図。
【図２】階調指令値に対する輝度の設定値であって、工場出荷時と検査時との違いを示す図。
【図３】図４の手順で用いる階調指令値および検査用静止画像の一例を示す模式図。
【図４】図１の検査装置を用いた検査手順を示すフローチャート。
【発明を実施するための形態】
【００１７】
以下、本発明にかかる液晶表示装置の検査方法および検査装置の一実施形態について、図面を参照しつつ説明する。
【００１８】
図１に示すように、液晶表示装置Ｄは、表示パネルユニット１０と、回路基板ユニット２０と、を備える。表示パネルユニット１０と回路基板ユニット２０とは、フレキシブルプリント配線ＦＰＣにより接続されており、後述する映像データ信号およびガンマ信号が、フレキシブルプリント配線ＦＰＣを介して回路基板ユニット２０から表示パネルユニット１０へ送信される。
【００１９】
表示パネルユニット１０は、液晶表示パネル１１、バックライト１２、ドライバ回路１３およびコントローラ１４を備える。液晶表示パネル１１は、バックライト１２から出射した照明光の透過率を画素毎に制御する液晶と、画素毎の液晶への通電オンオフを制御する薄膜トランジスタ（ＴＦＴ）と、を備える。
【００２０】
詳細には、赤色フィルタ色、緑色フィルタ、青色フィルタに対する照明光の透過率を、液晶が画素毎に制御する。これにより、赤色階調、緑色階調および青色階調（いわゆるＲＧＢ階調）が画素毎に制御され、所望の画像が液晶表示パネル１１に表示されることとなる。ここで言う階調とは、輝度を段階的に数値表現したものである。例えば、１つの画素に対するＲＧＢ階調の各々を６ビットで構成した場合、その画素の輝度は２６２万段階で階調表現され、２６２万色が表現可能になる。なお、階調値が高い（輝度が高い）ほど白色に近づき、階調値が低いほど黒色に近づく。
【００２１】
ドライバ回路１３は、画素毎のＴＦＴの作動を制御する。具体的には、コントローラから出力されるゲート指令信号にしたがって、画素毎のＴＦＴのゲート電圧を制御することで、ＴＦＴのオンオフタイミングを制御する。また、コントローラから出力されるソース指令信号にしたがって、画素毎のＴＦＴのソース電圧を制御することで、ＴＦＴがオン作動したときに液晶に印加される電圧を制御する。これにより、ソース電圧に応じた配向状態に液晶が変化し、先述の如く透過率（つまり輝度）が制御されてＲＧＢ階調が制御され、所望の映像が表示される。
【００２２】
コントローラ１４は、回路基板ユニット２０から送信されてきた映像データ信号およびガンマ信号に基づき、ゲート指令信号およびソース指令信号を生成する。映像データ信号は、画素毎に対して階調を指令するデータ（階調指令値）を含む信号である。ガンマ信号γは、ソース電圧設定値＝Ｋ×階調指令値＾γの式における、階調指令値を底とした指数である（Ｋは定数）。この式におけるソース電圧設定値は、階調指令値に対して実際に印加するソース電圧であり、換言すれば、階調指令値に対して実際に表現する輝度に相当する。
【００２３】
要するに、コントローラ１４は、階調指令値に対するソース電圧をガンマ信号に基づき決定し、決定した画素毎のソース電圧をソース指令信号としてドライバ回路１３へ出力する。つまり、階調指令値が同じであってもガンマ信号が異なれば、液晶表示パネル１１で実際に表現される輝度は異なってくる。
【００２４】
回路基板ユニット２０は、入力処理回路２１、変換回路２２、階調電圧設定回路２３およびマイクロコンピュータ（マイコン２４）を備えている。そして、回路基板ユニット２０へ外部から入力された映像信号は、入力処理回路２１により入力処理される。映像信号には、画素毎にＲＧＢ階調を指令する階調指令値の情報が含まれている。変換回路２２は、マイコン２４により制御されて、入力処理された映像信号を先述した映像データ信号に変換する。変換された映像データ信号は、フレキシブルプリント配線ＦＰＣを通じて、表示パネルユニット１０へ送信される。
【００２５】
階調電圧設定回路２３は、マイコン２４により制御されてガンマ信号を表示パネルユニット１０へ送信する。マイコン２４は、所定のプログラムが記憶されたメモリ２４ａと、そのプログラムにしたがって各種の演算処理を実行する中央演算処理装置（ＣＰＵ）とを備える。このＣＰＵの処理により、変換回路２２および階調電圧設定回路２３は制御される。
【００２６】
さらにメモリ２４ａには、適合用ガンマ指令値および検査用ガンマ指令値が記憶されている。そして、後述する補正信号Ｓ２が回路基板ユニット２０へ外部から入力されてくると、マイコン２４は、検査用ガンマ指令値を選択して階調電圧設定回路２３へ出力する。一方、補正信号Ｓ２の入力が無ければ、マイコン２４は、適合用ガンマ指令値を選択して階調電圧設定回路２３へ出力する。
【００２７】
適合用ガンマ指令値とは、望ましい見栄えになるように設定されたガンマ指令値であり、予め実施した試験により設定された値である。市場に出荷された後の液晶表示装置Ｄは、この適合用ガンマ指令値に基づきＴＦＴのソース電圧を制御するように初期設定されている。また、複数種類の適合用ガンマ指令値がメモリ２４ａに記憶されており、ユーザが好みに応じて適合用ガンマ指令値を選択できるように液晶表示装置Ｄは構成されている。
【００２８】
適合用ガンマ指令値とは、階調指令値に対して適合輝度（望ましい見栄えの輝度）で表現するように設定されたガンマ指令値である。図２を用いて具体的に説明すると、図２の横軸は階調指令値を示し、縦軸は、液晶表示パネル１１で表現される相対輝度を示す。階調指令値を最大にした時の輝度（最大輝度）を１００％とし、階調指令値を最小にした時の輝度（最小輝度）を０％とした場合において、最大輝度に対する輝度の割合が前記相対輝度に相当する。階調指令値の最小値とは、図３に示す階調「０」を指令する信号であり、図３の例では全てのビットが「０」となっている信号である。
【００２９】
一般的には、低階調領域１１Ｌｏ（黒に近い領域）では階調変化に対する輝度変化を小さくすると、適合輝度による望ましい見栄えの画像になる。図２（ａ）中の点線は、適合用ガンマ指令値を用いてソース電圧を制御した場合における、階調指令値に対する相対輝度の特性であり、出荷時における適合輝度の設定値を示す。図２（ａ）中の実線は、検査用ガンマ指令値を用いてソース電圧を制御した場合における、階調指令値に対する相対輝度の特性を示す。
【００３０】
次に、液晶表示装置Ｄが正常に作動しているか否かを検査する手法について説明する。詳細には、特定の階調が表現できないといった階調不良の有無を検査する。階調不良の原因の具体例として、フレキシブルプリント配線ＦＰＣが部分的に断線することにより、映像データ信号のうち特定の階調指令値に対応する信号が、ドライバ回路１３へ送信されていないことが挙げられる。
【００３１】
検査装置４０は、検査用映像信号（検査信号Ｓ１）を出力する検査信号出力手段４１を備える。検査信号Ｓ１は、表示領域毎に階調が徐々に変化する検査用静止画像１１ａ（図３参照）を表示させるよう、表示領域毎の階調指令値が設定された信号である。
【００３２】
図３の例では、液晶表示パネル１１の表示領域を左右方向に複数に分割しており、検査用静止画像１１ａの左端部分の表示領域が最小階調（階調値ゼロ）であり、右端部分の表示領域が最大階調（階調値６３）である。そして、検査用静止画像１１ａは、左端から右端へ向けて徐々に階調値が増大し、白色から黒色まで６４段階にグラデーション変化する画像に設定されている。
【００３３】
図３中の表は、検査信号Ｓ１に基づき変換回路２２にて生成された検査用の映像データ信号であって、ＲＧＢ階調の各々をＲ０〜Ｒ５、Ｇ０〜Ｇ５、Ｂ０〜Ｂ５の６ビットで表現した場合のデータ信号である。例えば、最下位ビットであるＲ０、Ｇ０、Ｂ０のデータが常時ゼロになるといった故障が生じた場合、階調１を表現できなくなり、階調「１」を指令するデータ信号を出力しても、階調「０」と同じ階調で表示されることとなる。すなわち、このような階調不良が生じると、検査用静止画像１１ａの左端に位置する表示領域とその右隣に位置する表示領域とが同じ階調「０」で表示されることとなる。
【００３４】
さらに検査装置４０は、補正信号Ｓ２を出力する補正信号出力手段４２を備える。補正信号Ｓ２は、先述した検査用ガンマ指令値を用いてソース電圧を制御するように指令する信号である。以下の説明では、検査用静止画像１１ａのうち最小階調の表示領域を含む所定の低階調領域の部分を低階調領域１１Ｌｏと呼ぶ。なお、図２（ｂ）は（ａ）に示す低階調領域１１Ｌｏの拡大図であり、低階調領域１１Ｌｏは、最大階調値６３に対する階調値の相対的な割合において０％〜２０％の範囲のことである。
【００３５】
補正信号Ｓ２にしたがって検査用ガンマ指令値を用いた制御を実施すると、階調指令値に対する相対輝度は、図２（ａ）（ｂ）中の点線に示す出荷時設定値から、実線に示す検査時設定値に変更される。つまり、表示パネルユニット１０に入力される映像データ信号が同じであっても、ガンマ値が変更されることにより、低階調領域１１Ｌｏのうち隣り合う表示領域の輝度変化が大きくなるように変更される。
【００３６】
例えば、検査用ガンマ指令値によるガンマ値を、適合用ガンマ指令値によるガンマ値よりも小さい値に設定することにより、低階調領域１１Ｌｏの輝度変化が適合輝度による輝度変化よりも大きくなるようにする。特に、適合用ガンマ指令値を用いた場合において、階調指令値を最小にした時の輝度と、その次に大きい階調指令値の輝度との差が、適合用ガンマ指令値を用いた場合に比べて大きくなるようにする。
【００３７】
さらに、最小階調の表示領域（検査用静止画像１１ａの左端）については適合輝度に、それ以外の表示領域（最小階調よりも階調の高い表示領域）については適合輝度よりも高輝度になるよう、検査用ガンマ指令値によるガンマ値は設定されている。また、最大階調の表示領域（検査用静止画像１１ａの右端）についても適合輝度になるよう、検査用ガンマ指令値によるガンマ値は設定されている。例えば、適合用ガンマ指令値によるガンマ値は１より大きい値に設定され、検査用ガンマ指令値によるガンマ値は、１より小さい正の値に設定されていることが望ましい。
【００３８】
次に、図４を用いて、上述した検査装置４０を用いた検査手順について説明する。先ず、手順Ｔ１（検査信号出力手順）において、検査者が、検査装置４０を液晶表示装置Ｄに接続する。そして、検査装置４０が、検査者による操作にしたがって検査信号Ｓ１および補正信号Ｓ２を出力する。
【００３９】
続く手順Ｔ２（検査画像表示手順）では、液晶表示装置Ｄが、検査信号Ｓ１および補正信号Ｓ２に基づき検査用静止画像１１ａを表示する。続く手順Ｔ３では、カメラ３０が、液晶表示パネル１１に表示された検査用静止画像１１ａを撮影し、撮影データ（カメラ画像信号Ｓ３）を検査装置４０へ送信する。
【００４０】
続く手順Ｔ４（画像検査手順）では、検査装置４０が、前記検査信号に応じた階調変化が検査用静止画像１１ａに正常に現れているか否かを検査する。例えば、カメラ画像信号Ｓ３に基づき表示領域毎の階調値を演算し、隣合う表示領域の階調値の差が所定値以上であれば正常であり、所定値未満であれば階調不良であると診断する。
【００４１】
以上に説明した本実施形態によれば、階調不良を検査する場合には、低階調領域１１Ｌｏにおいて隣り合う表示領域の輝度変化が、市場出荷時における適合輝度による輝度変化よりも大きくなる。そのため、階調不良の判別が困難な低階調領域１１Ｌｏにおける、検査用静止画像１１ａの輝度変化を大きくできるので、階調不良の判別精度を向上できる。換言すれば、解像度の低い安価なカメラ３０を用いても、階調不良の判別精度を十分に確保できるようになる。
【００４２】
なお、このように低階調領域１１Ｌｏでの階調不良判別精度を向上させるには、低階調領域１１Ｌｏだけを高輝度にすれば十分である。しかし、低階調領域１１Ｌｏだけを高輝度に制御しようとすると、制御回路が複雑になる。この点を鑑みた本実施形態では、最小階調の表示領域については適合輝度と同じ輝度になるようにソース電圧を制御し、低階調領域１１Ｌｏのうち最小階調以外の表示領域については、適合輝度よりも高輝度となるようにソース電圧を制御する。そのため、簡素な制御回路で階調不良判別の精度向上を図ることができる。
【００４３】
また、本実施形態では、適合用ガンマ指令値を検査用ガンマ指令値に変更するだけで、低階調領域１１Ｌｏにおける輝度変化を大きくできるので、簡素な制御回路で階調不良判別の精度向上を図ることができる。しかも、液晶表示装置Ｄは、複数種類の適合用ガンマ指令値の中からユーザが好みに応じて選択できるように構成されている。そのため、既存の階調電圧設定回路２３を用いて検査時にはガンマ値を変更させるので、検査時にガンマ値を変更させる専用の階調電圧設定回路を不要にできる。
【００４４】
また、本実施形態では、最小階調および最大階調の輝度を適合輝度に保持させた状態で、低階調領域１１Ｌｏにおける輝度変化が大きくなるように検査用ガンマ指令値を設定している。そのため、低階調領域１１Ｌｏでの輝度変化を大きくしたことに起因して他の階調領域での輝度変化が小さくなることを抑制できる。よって、他の階調領域についての階調不良の判別精度が悪くなることを抑制できる。
【００４５】
（他の実施形態）
本発明は上記実施形態の記載内容に限定されず、以下のように変更して実施してもよい。また、各実施形態の特徴的構成をそれぞれ任意に組み合わせるようにしてもよい。
【００４６】
・図１に示す実施形態では、検査用静止画像１１ａをカメラ３０で撮影し、カメラ画像信号Ｓ３に基づき画像解析して検査しているが、このような画像解析を廃止して、検査用静止画像１１ａを目視で検査するようにしてもよい。
【００４７】
・図１に示す実施形態では、検査装置４０から補正信号Ｓ２を出力することにより、検査時のガンマ値を変更させているが、このような補正信号Ｓ２の出力を廃止して、階調電圧設定回路２３を検査者が手動で操作して、検査時のガンマ値を変更させるようにしてもよい。
【００４８】
・図２の例では、最小階調および最大階調の表示領域を適合輝度に保持させた状態で、他の表示領域の全体について輝度が高くなるように検査時のガンマ値を設定している。これに対し、少なくとも低階調領域１１Ｌｏのうち最小階調以外の部分の輝度を増大させていればよく、他の表示領域の全体に亘って輝度を増大させなくてもよい。
【００４９】
・図１に示す実施形態では、検査用ガンマ指令値を１種類だけメモリ２４ａに記憶させている。これに対し、複数種類の検査用ガンマ指令値を記憶させるようにしてもよい。この場合、複数種類の検査用ガンマ指令値のいずれを選択して検査用静止画像１１ａを表示させるかを、検査装置４０がマイコン２４に指令すればよい。
【００５０】
・図１に示す実施形態では、映像データ信号およびガンマ補正信号を、共通のフレキシブルプリント配線ＦＰＣで送信しているが、これらの両信号を別々の通信線で送信するように構成してもよい。
【００５１】
・コントローラ１４は、ガンマ信号に基づき適合輝度を変更させているが、ガンマ信号を用いることなく、低階調領域１１Ｌｏの輝度変化が大きくなるように低階調領域１１Ｌｏの適合輝度を変更させるようにしてもよい。例えば、低階調領域１１Ｌｏに対応する階調指令値を補正すればよい。
【００５２】
・図１の例では、階調電圧設定回路２３がコントローラ１４にガンマ信号を出力することで適合輝度を変更させている。換言すれば、表示パネルユニット１０で階調指令値に補正をかけている。これに対し、回路基板ユニット２０で階調指令値に補正をかけて、補正後の階調指令値を表示パネルユニット１０へ送信するように構成してもよい。
【符号の説明】
【００５３】
１１Ｌｏ…低階調領域、４１…検査信号出力手段、４２…補正信号出力手段、Ｄ…液晶表示装置、Ｓ１…検査信号、Ｓ２…補正信号、Ｔ１…検査信号出力手順、Ｔ２…検査画像表示手順、Ｔ３…画像検査手順。
【図１】
2014194397.tif 000003
【図２】
2014194397.tif 000004
【図３】
2014194397.tif 000005
【図４】
2014194397.tif 000006